(57)【要約】      （修正有）【課題】敷き布団の上に横たわった場合に敷き布団との間の摩擦抵抗を低減することで着用者にとって自然な寝返りを可能とし、また、介助者にとって容易な寝返りの介助を可能とする上衣を提供する。【解決手段】少なくとも前身頃部１６と後ろ身頃部１２とを有する上衣１０であって、後ろ身頃部１２の表地に、表面が滑らかな高滑性生地部材１１を備える。高滑性生地部材１１の素材としてはレーヨンやポリエステルなど種々の素材から適宜選択することが可能であるが、人が着用する上衣に係るものであるため、洗濯に適した生地を選択するか、又は洗濯に耐える種々の加工を施すとより好ましい。【選択図】図２
0003183432.tif 000002
【実用新案登録請求の範囲】
【請求項１】
少なくとも前身頃部と後ろ身頃部とを有する上衣であって、該上衣は、
前記後ろ身頃部の表地に、表面が滑らかな高滑性生地部材を備えることを特徴とする上衣。
【請求項２】
前記高滑性生地部材は、少なくとも襟後ろ部、左肩部、右肩部、左脇部及び右脇部が縫製手段によって縫製されることを特徴とする請求項１に記載の上衣。
【請求項３】
前記高滑性生地部材は、丈方向の経糸が該生地部材の表面に多くあらわれる経朱子織からなることを特徴とする請求項１又は２に記載の上衣。
【請求項４】
前記高滑性生地部材は、幅方向の緯糸が該生地部材の表面に多くあらわれる緯朱子織からなることを特徴とする請求項１又は２に記載の上衣。
【請求項５】
前記高滑性生地部材はさらに、前記左脇部の上端から前記右脇部の上端にかけて縫製手段によって中央部が下方向に湾曲するよう横断的に縫製されることを特徴とする請求項１乃至４のいずれか一項に記載の上衣。
【考案の詳細な説明】
【技術分野】
【０００１】
本考案は、人が着用する衣服の上衣に関し、より詳しくは、滑りの良い素材からなる部材を備えることにより、敷き布団の上に横たわった場合に敷き布団との間の摩擦抵抗を低減する上衣に関する。
【背景技術】
【０００２】
人が就寝等するために敷き布団の上で横たわった場合、着用している寝巻等の上衣と敷き布団との間に摩擦抵抗が生じる。着用している上衣と敷き布団との間の摩擦抵抗は生地の素材により異なるものの、例えば寝返りをする場合、摩擦抵抗によって着用している上衣が敷き布団に引っかかり、自然な寝返りを妨げる要因となる。
【０００３】
ところで、体の一部に負担がかかることを防止すると共に快適な睡眠を実現するために、一般に２０回程度の寝返りを一回の就寝中に行なうことが理想と言われている。
【０００４】
しかしながら、寝返りは就寝中に無意識に行われるものであるため、上述のような要因が寝返りの容易さに大きく影響を及ぼしていた。
【０００５】
また、特に寝たきりの人など自力での寝返りが困難な場合は、床擦れを防ぐためにも介助者が寝返りを介助する必要があり、容易に寝返りを介助することのできる上衣が求められていた。
【考案の概要】
【考案が解決しようとする課題】
【０００６】
本考案は、以上のような事情に鑑みてなされたものである。即ち、本考案は、敷き布団の上に横たわった場合に敷き布団との間の摩擦抵抗を低減することで着用者にとって自然な寝返りを可能とし、また、介助者にとって容易な寝返りの介助を可能とする上衣を提供することを目的とする。
【課題を解決するための手段】
【０００７】
以上の課題を解決するために、本考案に係る上衣は、少なくとも前身頃部と後ろ身頃部とを有する上衣であって、後ろ身頃部の表地に、表面が滑らかな高滑性生地部材を備えることを特徴とする。
【０００８】
高滑性生地部材は、少なくとも襟後ろ部、左肩部、右肩部、左脇部及び右脇部が縫製手段によって縫製されても良い。
【０００９】
高滑性生地部材は、丈方向の経糸が該生地部材の表面に多くあらわれる経朱子織からなっても良い。
【００１０】
高滑性生地部材は、幅方向の緯糸が該生地部材の表面に多くあらわれる緯朱子織からなっても良い。
【００１１】
高滑性生地部材はさらに、前記左脇部の上端から前記右脇部の上端にかけて縫製手段によって中央部が下方向に湾曲するよう横断的に縫製されても良い。
【考案の効果】
【００１２】
本考案によれば、敷き布団の上に横たわった場合に敷き布団との間の摩擦抵抗を低減することで着用者にとって自然な寝返りを可能とし、また、介助者にとって容易な寝返りの介助を可能とする上衣を提供できる。
【図面の簡単な説明】
【００１３】
【図１】本考案の一実施形態に係る上衣を、上衣が備える高滑性生地部材を分離させた状態で示した図である。
【図２】本考案の一実施形態に係る上衣を示した図である。
【図３】本考案の一実施形態に係る上衣が備える高滑性生地部材の経糸を示した図である。
【図４】本考案の一実施形態に係る上衣が備える高滑性生地部材の緯糸を示した図である。
【図５】本考案の他の実施形態に係る上衣を示した図である。
【図６】本考案のさらに他の実施形態に係る上衣を示した図である。
【図７】高滑性生地部材を構成ものとして選定し得る素材の一例について、それらの帯電傾向を示した図（帯電列）である。
【考案を実施するための形態】
【００１４】
以下、図面を参照しながら本考案に係る上衣の実施形態を詳細に説明する。なお、以下の説明における左右は、本考案に係る上衣を着用した場合における左右、即ち着用者からみた左右を基準とする。
【００１５】
図１は、本考案に係る上衣１０を、上衣１０が備える高滑性生地部材１１を分離させた状態で示した図である。図示されるように、上衣１０は高滑性生地部材１１、後ろ身頃部１２、左袖部１３、右袖部１４、襟部１５及び前身頃部１６から構成されている。
【００１６】
高滑性生地部材１１は、上衣１０の後ろ身頃部１２に対してその表地側から取り付けられるものであり、後ろ身頃部１２に対応するよう、後ろ身頃部１２と同一の外形に裁断されている。高滑性生地部材１１は、敷き布団（図示せず）に対して摩擦抵抗が小さく滑りの良い素材で構成されている。高滑性生地部材１１の素材としてはレーヨンやポリエステルなど種々の素材から適宜選択することが可能であるが、本考案は人が着用する上衣に係るものであるため、洗濯に適した生地を選択するか、又は洗濯に耐える種々の加工を施すとより好ましい。
【００１７】
後ろ身頃部１２は胴体の背側を覆い、左袖部１３は左腕を覆い、右袖部１４は右腕を覆い、襟部１５は首周りを覆い、前身頃部１６は胴体の前側を覆う。
【００１８】
後ろ身頃部１２、左袖部１３、右袖部１４、襟部１５及び前身頃部１６の素材としては、コットンなど種々の素材から適宜選択することが可能であり、特に限定されない。
【００１９】
図２は、本考案の上衣１０が高滑性生地部材１１を備えた状態を示した図である。図示されるように、高滑性生地部材１１は、襟後ろ部１７、左肩部１８、右肩部１９、左脇部２０及び右脇部２１をそれぞれ縫製手段によって縫製することにより上衣１０の後ろ身頃部１２に取り付けられている。
【００２０】
高滑性生地部材１１を後ろ身頃部１２に縫製するための手段としては、ミシンなど種々の手段を用いることができる。縫製する際の間隔、即ちピッチについては、所望の縫製強度等に応じて適宜調節するとより好ましい。
【００２１】
なお、本実施形態では左脇部２０の上端と左肩部１８の左端との間、及び右脇部２１の上端と右肩部１９の右端との間はそれぞれ縫製を行なっていないため、例えば介助等の場面において介助者が上衣１０を着用している者を抱き起こす際、介助者が上衣１０の高滑性生地部材１１と後ろ身頃部１２との間に腕を入れて抱き起こすことが可能となる。これにより、左肩部１８及び右肩部１９の縫製部に介助者の腕が引っかかる効果が得られるため、介助者が腕を滑らせることなく安全かつ容易に抱き起こすことが可能となる。
【００２２】
次に、高滑性生地部材１１の形態について、図３及び図４を参照しながらそれぞれ説明する。
【００２３】
図３は、本考案の上衣１０が備える高滑性生地部材１１の一形態として、経糸が表面に多くあらわれる経朱子織からなる高滑性生地部材１１を示した図である。図示されるように、高滑性生地部材１１は、上衣１０の丈方向（上下方向）の経糸２２が表面に多くあらわれる、いわゆる経朱子織からなっている。
【００２４】
朱子織とは三原組織の一つであり、サテンとも呼ばれている。朱子織は表面の滑らかさが特徴であり、高滑性生地部材１１が上衣１０の丈方向の経糸２２が表面に多くあらわれる経朱子織からなる本実施形態によれば、敷き布団（図示せず）に対して上衣１０の丈方向の摩擦抵抗を特に低減することができる。
【００２５】
図４は、本考案の上衣１０が備える高滑性生地部材１１の他の形態として、緯糸が表面に多くあらわれる緯朱子織からなる高滑性生地部材１１を示した図である。図示されるように、高滑性生地部材１１は、上衣１０の幅方向（左右方向）の緯糸２３が表面に多くあらわれる、いわゆる緯朱子織からなっている。
【００２６】
高滑性生地部材１１が上衣１０の幅方向の緯糸２３が表面に多くあらわれる緯朱子織からなる本実施形態によれば、敷き布団（図示せず）に対して上衣１０の幅方向の摩擦抵抗を特に低減することができる。
【００２７】
次に、高滑性生地部材１１を上衣１０の後ろ身頃部１２に対して取り付ける縫製の形態について、図５及び図６を参照しながらそれぞれ説明する。
【００２８】
図５は、高滑性生地部材１１を上衣１０の後ろ身頃部１２に対して取り付ける縫製の一形態を示した図である。図示されるように、高滑性生地部材１１は襟後ろ部１７、左肩部１８、右肩部１９、左脇部２０及び右脇部２１に加えて、補助縫製部２４、補助縫製部２５、補助縫製部２６、補助縫製部２７及び補助縫製部２８をそれぞれ縫製手段によって縫製されている。
【００２９】
補助縫製部２４、補助縫製部２５、補助縫製部２６及び補助縫製部２７を縫製するための手段としては、ミシンなど種々の手段を用いることができる。縫製する際の間隔、即ちピッチについては、所望の縫製強度等に応じて適宜調節するとより好ましい。これにより、補助縫製部２４及び補助縫製部２５は、高滑性生地部材１１の左下の範囲が寝返りに伴って捩れたり撓んだりすることを防ぐ効果を奏し、同様に、補助縫製部２６及び補助縫製部２７は、高滑性生地部材１１の右下の範囲が寝返りに伴って捩れたり撓んだりすることを防ぐ効果を奏する。補助縫製部２４と補助縫製部２５との間隔、及び補助縫製部２６と補助縫製部２７との間隔は特に限定されず、それぞれ適宜調節することができる。
【００３０】
本形態における補助縫製部２８は、左脇部２０の上端から右脇部２１の上端にかけて直線的に横断する縫製部位であり、補助縫製部２８を縫製するための手段としては、ミシンなど種々の手段を用いることができる。縫製する際の間隔、即ちピッチについては、所望の縫製強度等に応じて適宜調節するとより好ましい。これにより、補助縫製部２８は、寝返りに伴って高滑性生地部材１１が捩れたり撓んだりすることを広域的に防ぐ効果を奏する。
【００３１】
図６は、高滑性生地部材１１を上衣１０の後ろ身頃部１２に対して取り付ける縫製の他の形態を示した図である。図示されるように、高滑性生地部材１１は襟後ろ部１７、左肩部１８、右肩部１９、左脇部２０及び右脇部２１に加えて、補助縫製部２４、補助縫製部２５、補助縫製部２６、補助縫製部２７及び補助湾曲縫製部２９をそれぞれ縫製手段によって縫製されている。
【００３２】
補助縫製部２４、補助縫製部２５、補助縫製部２６及び補助縫製部２７を縫製するための手段としては、ミシンなど種々の手段を用いることができる。縫製する際の間隔、即ちピッチについては、所望の縫製強度等に応じて適宜調節するとより好ましい。これにより、補助縫製部２４及び補助縫製部２５は、高滑性生地部材１１の左下の範囲が寝返りに伴って捩れたり撓んだりすることを防ぐ効果を奏し、同様に、補助縫製部２６及び補助縫製部２７は、高滑性生地部材１１の右下の範囲が寝返りに伴って捩れたり撓んだりすることを防ぐ効果を奏する。補助縫製部２４と補助縫製部２５との間隔、及び補助縫製部２６と補助縫製部２７との間隔は特に限定されず、それぞれ適宜調節することができる。
【００３３】
本形態における補助湾曲縫製部２９は、左脇部２０の上端から右脇部２１の上端にかけて、中央部３０が下方向に湾曲しながら横断する縫製部位であり、補助湾曲縫製部２９を縫製するための手段としては、ミシンなど種々の手段を用いることができる。縫製する際の間隔、即ちピッチについては、所望の縫製強度等に応じて適宜調節するとより好ましい。これにより、補助湾曲縫製部２９は、寝返りに伴って高滑性生地部材１１が捩れたり撓んだりすることを広域的に防ぐ効果を奏する。また、補助縫製部２８のように直線的に縫製する場合と比較して高滑性生地１１が縫製されていない上側の範囲をより広く確保できるため、例えば上衣１０を着用している者が背中を丸めた際における高滑性生地部材１１の伸縮性や柔軟性をより高く確保でき、上衣１０の着心地が向上する。
【００３４】
次に、高滑性生地部材１１を構成する素材の選定について、図７を参照しながら説明する。
【００３５】
図７は、高滑性生地部材１１を構成するものとして選定し得る素材の一例について、それらの帯電傾向を示した図（帯電列）である。ここで、帯電列とは、二つの異なる材質の物を接触・摩擦させた際の電荷移動の傾向に着目してその序列を表したものであり、左側に配された生地ほど電子を放出して正（プラス）に帯電しやすく、右側に配された生地ほど電子を受け取って負（マイナス）に帯電しやすいことを示している。図示されるように、例えばウールやナイロンは正（プラス）に帯電しやすい傾向を有し、アクリルやポリエステルは負（マイナス）に帯電しやすい傾向を有している。また、生地同士を接触・摩擦させるとき、帯電列上で離れている生地同士であるほど電子の移動量、即ち帯電量が大きくなり、帯電列上で近い生地同士であるほど帯電量が小さくなる。
【００３６】
人が就寝等するために敷き布団の上で横たわった場合、敷き布団と着用している上衣とが接触し、寝返り等で体を動かすと摩擦が生じる。そこで、不快な静電気の発生を抑止して快適性を向上するために、敷き布団の素材に応じて高滑性生地部材１１を構成する生地を選定するとより好ましい。具体的には、例えば敷き布団がウールからなっている場合、高滑性生地部材１１を構成する生地としてポリエステルを選定するよりもレーヨンを選定した方が帯電量を小さく抑えることができ、静電気の発生を抑制することができる。
【００３７】
以上、本考案の好適な実施形態について説明したが、本考案は上記の実施形態に限定されるものではなく、本考案の趣旨を逸脱しない範囲において種々の改変が可能であることは言うまでもない。
【００３８】
例えば、本考案に係る上衣は、左袖部及び右袖部を備えていないベストタイプであっても良い。
【符号の説明】
【００３９】
１０    上衣
１１    高滑性生地部材
１２    後ろ身頃部
１３    左袖部
１４    右袖部
１５    襟部
１６    前身頃部
１７    襟後ろ部
１８    左肩部
１９    右肩部
２０    左脇部
２１    右脇部
２２    経糸
２３    緯糸
２４    補助縫製部
２５    補助縫製部
２６    補助縫製部
２７    補助縫製部
２８    補助縫製部
２９    補助湾曲縫製部
３０    中央部
【図１】
0003183432.tif 000003
【図２】
0003183432.tif 000004
【図３】
0003183432.tif 000005
【図４】
0003183432.tif 000006
【図５】
0003183432.tif 000007
【図６】
0003183432.tif 000008
【図７】
0003183432.tif 000009